(57)【要約】【課題】店頭の美観を保つことができ、サービスの向上を図ることができる化粧具テスターケースを提供する。【解決手段】未使用のスポンジ４やチップ５が収容された化粧具収容箱６と、使用済みのスポンジ４やチップ５が捨てられる回収箱１０と、各箱６，１０を隣接させて収容する本体ケース１３と、各箱６，１０の背面側に配置されて本体ケース１３に取り付けられるポップ片１７とから化粧具テスターケース１を構成する。【選択図】図１
0003215445.tif 000002
【実用新案登録請求の範囲】
【請求項１】
未使用の化粧具が収容される化粧具収容領域と、使用済みの前記化粧具が入れられる回収領域とに区切られた本体ケースを有する、
ことを特徴とする化粧具テスターケース。
【請求項２】
前記回収領域を構成する回収箱を有する、
ことを特徴とする請求項１に記載された化粧具テスターケース。
【請求項３】
前記回収箱の内側に、汚れの固着を防止するコーティング層を有する、
ことを特徴とする請求項２に記載された化粧具テスターケース。
【請求項４】
前記回収箱がプラスチック製である、
ことを特徴とする請求項２に記載された化粧具テスターケース。
【請求項５】
前記回収箱が、紙製の外箱と、この外箱の内側に収容されたプラスチック製の内箱と、から構成された、
ことを特徴とする請求項２に記載された化粧具テスターケース。
【請求項６】
前記化粧具収容領域を構成する化粧具収容箱を有する、
ことを特徴とする請求項１から請求項５のいずれか１項に記載された化粧具テスターケース。
【考案の詳細な説明】
【技術分野】
【０００１】
本考案は、化粧具の試供品が収容される化粧具テスターケースに関するものである。
【背景技術】
【０００２】
従来、化粧品の試供品（以下、「テスター」と記す。）は、例えば、化粧品販売店の店頭などに設置され、消費者は、自身で自由にテスターを試すことができる。例えば、下記特許文献１に記載された化粧品セットは、様々な化粧品が一つのシートに載せられた状態で消費者に提供され、消費者の嗜好に応じて取捨選択された化粧品をシートに載せ替えることができるものである。
【先行技術文献】
【特許文献】
【０００３】
【特許文献１】実開平７−５５１３号公報
【考案の概要】
【考案が解決しようとする課題】
【０００４】
しかし、テスターを試す際に用いられたチップやスポンジなどの備品は、使い捨てであるため、テスターの周辺に放置されると店頭の美観が損なわれる。また、消費者が自ら、ゴミ箱がある場所まで使用済みの備品を捨てに行かなければならないとすれば、サービスの低下となりかねない。
【０００５】
本考案は、上記の実情に鑑みて提案されたものである。すなわち、店頭の美観を保つことができ、サービスの向上を図ることができる化粧具テスターケースの提供を目的とする。
【課題を解決するための手段】
【０００６】
上記目的を達成するために、本考案に係る化粧具テスターケースは、未使用の化粧具が収容される化粧具収容領域と、使用済みの前記化粧具が入れられる回収領域とに区切られた本体ケースを有する、ことを特徴とする。
【０００７】
本考案に係る化粧具テスターケースは、前記回収領域を構成する回収箱を有する、ことを特徴とする。
【０００８】
本考案に係る化粧具テスターケースは、前記回収箱の内側に、汚れの固着を防止するコーティング層を有する、ことを特徴とする。
【０００９】
本考案に係る化粧具テスターケースは、前記回収箱がプラスチック製である、ことを特徴とする。
【００１０】
本考案に係る化粧具テスターケースは、前記回収箱が、紙製の外箱と、この外箱の内側に収容されたプラスチック製の内箱と、から構成された、ことを特徴とする。
【００１１】
本考案に係る化粧具テスターケースは、前記化粧具収容領域を構成する化粧具収容箱を有する、ことを特徴とする。
【００１２】
なお、本考案に係る化粧具テスターケースは、前記化粧具収容箱が、仕切り片で正面側と背面側とに区切られ、前記仕切り片の高さが、前記化粧具収容箱および前記本体ケースよりも高く形成されていてもよい。
【００１３】
なお、本考案に係る化粧具テスターケースは、前記本体ケースの背面側に、被設置部位に取り付けられる取付部を有していてもよい。
【００１４】
なお、本考案に係る化粧具テスターケースは、前記外箱の高さが、前記本体ケースよりも高く形成され、前記内箱の高さが、前記外箱よりも高く形成されていてもよい。
【考案の効果】
【００１５】
本考案に係る化粧具テスターケースは、未使用の化粧具が収容される化粧具収容領域と、使用済みの化粧具が入れられる回収領域とに区切られた本体ケースを有している。すなわち、消費者は、本体ケースの化粧具収容領域から化粧具を取り出し、使用済みの化粧具を同じ本体ケースの回収領域に入れることができる。そのため、使用済みの化粧具が散乱することがなく、店頭の美観を保つことができる。また、消費者が使用済みの化粧具を他の場所まで捨てに行く必要がないため、サービスの向上を図ることができる。
【００１６】
本考案に係る化粧具テスターケースは、回収領域を構成する回収箱を有している。すなわち、回収箱がゴミ箱の役割を果たす。したがって、使用済みの化粧具を、回収箱ごと本体ケースから取り出して捨てることができる。回収箱は、そのまま捨ててもよく、また、清掃して再利用してもよい。
【００１７】
本考案に係る化粧具テスターケースは、回収箱の内側に、汚れの固着を防止するコーティング層を有している。この構成により、回収箱に汚れが付着した場合であっても、コーティング層によって汚れの固着が抑止される。したがって、回収箱の清掃が容易である。
【００１８】
本考案に係る化粧具テスターケースは、回収箱がプラスチック製である。したがって、回収箱に汚れが付着した場合であっても、回収箱の清掃が容易である。
【００１９】
本考案に係る化粧具テスターケースは、回収箱が、紙製の外箱と、この外箱の内側に収容されたプラスチック製の内箱と、から構成されている。この構成により、内箱に汚れが付着した場合であっても、内箱の清掃が容易である。また、内箱を外箱から取り外すことで、使用済みの化粧具を、内箱ごと捨てることができる。一方で、外箱は広告やデザインを容易に印刷することができる。また、使用済みの化粧具が内箱に入れられることで、外箱に汚れが付着することが抑止され、仮に、劣化した内箱を捨てる場合であっても、外箱を再利用することができる。
【００２０】
本考案に係る化粧具テスターケースは、化粧具収容領域を構成する化粧具収容箱を有している。この構成により、化粧具がなくなった場合であっても、空の化粧具収容箱を、化粧具が充填された新たな化粧具収容箱と取り替えることで、化粧具を容易に補充することができる。
【図面の簡単な説明】
【００２１】
【図１】図１は、本考案の実施形態に係る化粧具テスターケースの外観斜視図である。
【図２】図２は、本考案の実施形態に係る化粧具テスターケースの外観分解斜視図である。
【考案を実施するための形態】
【００２２】
以下に、本考案の実施形態に係る化粧具テスターケースを図面に基づいて説明する。図１は、組み立てられた化粧具テスターケース１が示され、図２は、分解された化粧具テスターケース１が示されている。なお、図１に示されているとおり、正面、背面、上面、下面が定義されている。
【００２３】
図１および図２に示されているとおり、化粧具テスターケース１は、未使用の化粧具を収容する化粧具収容領域２と、使用済みの化粧具を入れる回収領域３とが、一つの本体ケース１３で実現されたものである。詳説すれば、化粧具テスターケース１は、未使用の化粧具が収容された化粧具収容箱６と、使用済みの化粧具が捨てられる回収箱１０と、化粧具収容箱６と回収箱１０とを隣接させて収容する本体ケース１３と、各箱６，１０の背面側に配置されて本体ケース１３に取り付けられるポップ片１７とから構成されている。ここで、化粧具とは、使い捨ての化粧道具をいうが、化粧品のテスターであってもよい。化粧道具は、例えば、チップ５、スポンジ４、ブラシ、コットン、綿棒、ウエットシートなどである。化粧品は、例えば、ファンデーション、チーク、アイシャドウ、アイライナー、マスカラ、リップ、化粧水、乳液などである。
【００２４】
化粧具収容箱６は、紙製の箱であり、上面から正面の一部に渡って開口されている。化粧具収容箱６は、扁平な仕切り片７によって、正面側の正面収容領域８と背面側の背面収容領域９とに区切られている。仕切り片７の上部は、化粧具収容箱６に収容された化粧具の種類や用途が、適宜印刷されている。仕切り片７は、化粧具収容箱６の内面に貼り付けられている。仕切り片７が貼り付けられる位置は、化粧具収容箱６のうち、背面寄りである。すなわち、正面収容領域８が、背面収容領域９よりも広く形成されている。正面収容領域８は、例えば複数のスポンジ４が積み上げられて収容され、背面収容領域９は、例えば複数のチップ５が立てかけて収容される。なお、各収容領域８，９の広狭は任意であり、各収容領域８，９に収容される化粧具も任意である。
【００２５】
回収箱１０は、紙製の箱である外箱１１と、この外箱１１の内側に収容されたプラスチック製の箱である内箱１２とから構成されている。外箱１１は、上面が開口され、正面に、回収箱１０がゴミ箱である旨が適宜印刷されている。内箱１２は、上面が開口されている。内箱１２の外周は、外箱１１よりも僅かに小さく形成され、内箱１２が外箱１１に収まる構成である。なお、プラスチックは、例えば、ポリエチレンテレフタレート、ポリプロピレン、ポリ塩化ビニルなどである。
【００２６】
本体ケース１３は、プラスチック製の箱であり、上面から正面の一部に渡って開口されている。本体ケースの背面部は、上方に向かって延びた取付部１４を有している。取付部１４は、扁平であり、上部の中央に孔１５が形成され、また、一部に折線１６が形成されている。取付部１４は、折線１６を介して折り曲げられる。
【００２７】
ポップ片１７は、扁平な板紙であり、上部に、販促に応じたメッセージが適宜印刷されている。
【００２８】
図１に示されているとおり、各部材が組み立てられると、化粧具収容箱６は、本体ケース１３と同じ高さであり、化粧具収容箱６の仕切り片７は、化粧具収容箱６および本体ケース１３よりも高さが高い。回収箱１０の外箱１１は、本体ケース１３よりも高く、回収箱１０の内箱１２は、外箱１１よりも高い。ポップ片１７は、本体ケース１３よりも高く、かつ、直立した取付部１４よりも低い。
【００２９】
上記のとおり、化粧具テスターケース１が構成されている。次に化粧具テスターケース１の効果を説明する。
【００３０】
上記したとおり、化粧具テスターケース１は、未使用のスポンジ４やチップ５が収容された化粧具収容箱６と、使用済みのスポンジ４やチップ５が捨てられる回収箱１０と、両箱６，１０を隣接させて収容する本体ケース１３とを有している。すなわち、回収箱１０がゴミ箱の役割を果たす。したがって、消費者は、化粧具収容箱６からスポンジ４やチップ５を取り出し、使用済みのスポンジ４やチップ５を同じ本体ケース１３の回収箱１０に捨てることができる。そのため、使用済みのスポンジ４やチップ５が散乱することがなく、店頭の美観を保つことができる。また、消費者が使用済みのスポンジ４やチップ５を他の場所まで捨てに行く必要がないため、サービスの向上を図ることができる。
【００３１】
また、使用済みのスポンジ４やチップ５を、回収箱１０ごと本体ケース１３から取り出して捨てることができる。回収箱１０は、そのまま捨ててもよく、また、清掃して再利用してもよい。
【００３２】
また、スポンジ４やチップ５がなくなった場合であっても、空の化粧具収容箱６を、スポンジ４やチップ５が充填された新たな化粧具収容箱６と取り替えることで、スポンジ４やチップ５を容易に補充することができる。使い捨てのスポンジ４やチップ５であれば、洗浄した化粧具を使い回す場合と比較して、衛生が保たれて消費者に安心感を与え、また、洗浄に要する時間や人件費を省くことができる。
【００３３】
化粧具テスターケース１は、回収箱１０が、紙製の外箱１１と、この外箱１１の内側に収容されたプラスチック製の内箱１２とから構成されている。この構成により、内箱１２に汚れが付着した場合であっても、内箱１２の清掃が容易である。また、内箱１２を外箱１１から取り外すことで、使用済みのスポンジ４やチップ５を、内箱１２ごと捨てることができる。一方で、外箱１１は広告やデザインを容易に印刷することができる。また、使用済みのスポンジ４やチップ５が内箱１２に入れられることで、外箱１１に汚れが付着することが抑止され、仮に、劣化した内箱１２を捨てる場合であっても、外箱１１を再利用することができる。
【００３４】
化粧具テスターケース１は、化粧具収容箱６が、仕切り片７によって、正面側の正面収容領域８と背面側の背面収容領域８とに区切られている。この構成により、仕切り片７を境に、スポンジ４やチップ５などを種類別に化粧具収容箱６に収容することができる。
【００３５】
化粧具テスターケース１は、本体ケース１３の背面部に、上方に向かって延びた取付部１４を有している。取付部１４は、扁平であり、上部の中央に孔１５が形成され、また、一部に折線１６が形成されている。取付部１４は、折線１６を介して折り曲げられる。したがって、様々な被設置部位に化粧具テスターケース１を取り付けることができる。詳説すれば、取付部１４を直立させた状態で、被設置部位であるフックを孔１５に通すことで、化粧具テスターケース１を設置することができる。また、取付部１４を直立させた状態で、被設置部位であるクリップで取付部１４を挟むことで、化粧具テスターケース１を設置することができる。また、取付部１４を、本体ケース１３の背面部に対して背面側に向けて９０度折り曲げた状態で、棚と、この棚の上に置かれた化粧品の什器との間に取付部１４を挟むことで、化粧具テスターケース１を被設置部位に設置することができる。また、取付部１４を、本体ケース１３の背面部に対して背面側に向けて鋭角に折り曲げた状態で、化粧品が陳列された棚のプライスレールなどに引っ掛けることで、化粧具テスターケース１を被設置部位に設置することができる。
【００３６】
化粧具テスターケース１において、化粧具収容箱６の仕切り片７は、高さが化粧具収容箱６および本体ケース１３よりも高く上方に突出しているため、仕切り片７が把持しやすく、容易に化粧具収容箱６を取り替えることができる。また、回収箱１０の外箱１１の高さは本体ケース１３よりも高く形成され、内箱１２の高さは外箱１１よりも高く形成されている。したがって、外箱１１や内箱１２が把持しやすく、容易に回収箱１０を取り出すことができ、また、容易に取り替えることができる。
【００３７】
上記した化粧具テスターケース１を店頭などに設置することで、消費者にテスターを試すことを積極的に促し、購買意欲を上げ、売り上げに寄与することができる。また、化粧具テスターケース１が設置されてない店舗との差別化を図ることができる。
【００３８】
なお、本考案の第二実施形態として、化粧具収容箱６および回収箱１０に替えて、未使用の化粧具が収容される化粧具収容領域２と、使用済みの化粧具が入れられる回収領域３とに区切られた本体ケース１３のみから構成された化粧具テスターケースであってもよい。この場合、各領域の境界に板状片が取り付けられ、各領域が区切られている。
【００３９】
また、本考案の第三実施形態として、化粧具収容箱６に替えて、未使用の化粧具が収容される化粧具収容領域２を有する本体ケース１３と、使用済みの化粧具が入れられる回収箱１０とから構成された化粧具テスターケースであってもよい。
【００４０】
また、本考案の第四実施形態として、回収箱１０に替えて、使用済みの化粧具が捨てられる回収領域３を有する本体ケース１３と、未使用の化粧具が入れられる化粧具収容箱６とから構成された化粧具テスターケースであってもよい。
【００４１】
また、本考案の第五実施形態として、回収箱１０が単一であり、プラスチック製である化粧具テスターケースであってもよい。
【００４２】
また、本考案の第六実施形態として、回収箱１０が単一であり、紙製であって、内側に、汚れの固着を防止するコーティング層を有する化粧具テスターケースであってもよい。コーティング層は、例えば、アルミコーティング、防水性のビニールコーティングなどであり、汚れが固着せず清掃がしやすいものであればよい。
【００４３】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００４４】
１    化粧具テスターケース
２    化粧具収容領域
３    回収領域
４    スポンジ（化粧具）
５    チップ（化粧具）
６    化粧具収容箱
７    仕切り片
８    正面収容領域
９    背面収容領域
１０  回収箱
１１  外箱
１２  内箱
１３  本体ケース
１４  取付部
１５  孔
１６  折線
１７  ポップ片
【図１】
0003215445.tif 000003
【図２】
0003215445.tif 000004